(57)【要約】【課題】本発明は、１つの部品選択により、選択した部品とともに該部品に組み付いている部品を容易に確認することが可能な部品表示装置、部品表示方法及び部品表示プログラムを提供することを目的とする。【解決手段】本開示の実施形態に係る部品表示装置は、複数の部品を組み付けた状態で画面上に表示する部品表示装置であって、複数の部品を組み付けた状態の表示において複数の部品のうち特定の部品が選択されると、部品の組み付け情報を記憶部から参照し、特定の部品に組み付けられる他の部品情報を抽出する部品抽出部と、抽出された部品情報及び部品の個数を画面上に表示する部品表示制御部と、を有することを特徴とする。【選択図】図３
2020201892.tif 000002
【特許請求の範囲】
【請求項１】
複数の部品を組み付けた状態で画面上に表示する部品表示装置であって、
複数の部品を組み付けた状態の表示において複数の部品のうち特定の部品が選択されると、部品の組み付け情報を記憶部から参照し、特定の部品に組み付けられる他の部品情報を抽出する部品抽出部と、
抽出された部品情報及び部品の個数を画面上に表示する部品表示制御部と、
を有することを特徴とする部品表示装置。
【請求項２】
選択された部品及び抽出された部品を前記画面上で他の部品とは異なる表示方法で表示する、請求項１に記載の部品表示装置。
【請求項３】
前記組み付け情報には、前記複数の部品を組み付ける順序に関する情報が含まれ、
前記組み付ける順序に従って、順番に組み付ける部品を他の部品とは異なる表示方法で表示する、
請求項１または２に記載の部品表示装置。
【請求項４】
前記組み付け情報は、前記複数の部品により物品を設計する段階で生成される、請求項１乃至３のいずれか一項に記載の部品表示装置。
【請求項５】
複数の部品を組み付けた状態で画面上に表示し、
複数の部品のうち特定の部品を選択し、
部品の組み付け情報を参照して、特定の部品に組み付けられる部品情報を抽出し、
抽出された部品情報及び個数を画面上に表示する、
ステップを有することを特徴とする部品表示方法。
【請求項６】
複数の部品を組み付けた状態で画面上に表示する部品表示装置に含まれるコンピュータによって実行可能なプログラムであって、
複数の部品を組み付けた状態で画面上に表示し、
複数の部品のうち特定の部品を選択し、
部品の組み付け情報を参照して、特定の部品に組み付けられる部品情報を抽出し、
抽出された部品情報及び個数を画面上に表示する、
ステップを前記コンピュータに実行させることを特徴とする部品表示プログラム。
【発明の詳細な説明】
【技術分野】
【０００１】
本発明は、部品表示装置、部品表示方法及び部品表示プログラムに関する。
【背景技術】
【０００２】
大規模な物品の組立を行う際には、組立図面とその物品の３次元（３Ｄ）モデルを用いて組み立てを行う。設計者は、物品を構成する部品を組み合わせ、アセンブリモデルを作成する。このアセンブリモデルを用いて、組立作業員は物品の組立を行う。部品は識別番号若しくは品番で管理されている。
【０００３】
組立作業員が組立作業を行うためには、アセンブリモデルで部品の識別番号を確認しつつ、部品や締結部品等を用意する。組立に必要な部品を集約した後、その部品に組み付けられている他の部品や、締結部品の個数や組付き方を確認しながら組立作業を進める。
【０００４】
また、複数の部品から構成される組立品の設計を支援するＣＡＤシステムにおいて、組立品を構成しかつ指定された対象部品を含む部品の階層木を表示画面上に表示し、階層木を構成する部品のうち選択された部品の識別子を関連部品として記憶装置に格納することを特徴とするＣＡＤシステムにおける関連部品の抽出方法が報告されている（例えば、特許文献１）。
【０００５】
しかしながら、従来技術では、部品を一つずつ確認するためにモデルを回転させたり確認したりする際に、画面上で以前に見ていたモデルを見失ったり、モデルを復元する際に組み付け方法を規定する選択が外れてしまう場合があるという問題があった。
【先行技術文献】
【特許文献】
【０００６】
【特許文献１】特開平９−１９０４５６号公報
【発明の概要】
【発明が解決しようとする課題】
【０００７】
本発明は、１つの部品選択により、選択した部品とともに該部品に組み付いている部品を容易に確認することが可能な部品表示装置、部品表示方法及び部品表示プログラムを提供することを目的とする。
【課題を解決するための手段】
【０００８】
本開示の実施形態に係る部品表示装置は、複数の部品を組み付けた状態で画面上に表示する部品表示装置であって、複数の部品を組み付けた状態の表示において複数の部品のうち特定の部品が選択されると、部品の組み付け情報を記憶部から参照し、特定の部品に組み付けられる他の部品情報を抽出する部品抽出部と、抽出された部品情報及び部品の個数を画面上に表示する部品表示制御部と、を有することを特徴とする。
【０００９】
本開示の実施形態に係る部品表示方法は、複数の部品を組み付けた状態で画面上に表示し、複数の部品のうち特定の部品を選択し、部品の組み付け情報を参照して、特定の部品に組み付けられる部品情報を抽出し、抽出された部品情報及び個数を画面上に表示する、ステップを有することを特徴とする。
【００１０】
本開示の実施形態に係る部品表示プログラムは、複数の部品を組み付けた状態で画面上に表示する部品表示装置に含まれるコンピュータによって実行可能なプログラムであって、複数の部品を組み付けた状態で画面上に表示し、複数の部品のうち特定の部品を選択し、部品の組み付け情報を参照して、特定の部品に組み付けられる部品情報を抽出し、抽出された部品情報及び個数を画面上に表示する、ステップをコンピュータに実行させることを特徴とする。
【発明の効果】
【００１１】
本開示の実施形態に係る部品表示装置、部品表示方法及び部品表示プログラムによれば、１つの部品選択により、選択した部品とともに該部品に組み付いている部品を容易に確認することができる。
【図面の簡単な説明】
【００１２】
【図１】本開示の実施形態に係る部品表示装置の構成図である。
【図２】部品の組付情報の例を示す表である。
【図３】複数の部品を組み付けた状態の表示装置への表示例を示す図である。
【図４】複数の部品のうち特定の部品を選択した状態の表示装置への表示例を示す図である。
【図５】複数の部品からなる物品の組立工程の第１工程を示す斜視図である。
【図６】複数の部品からなる物品の組立工程の第２工程を示す斜視図である。
【図７】複数の部品からなる物品の組立工程の第３工程を示す斜視図である。
【図８】複数の部品からなる物品の組立工程の第４工程を示す斜視図である。
【図９】本開示の実施形態に係る部品表示方法の手順を説明するためのフローチャートである。
【発明を実施するための形態】
【００１３】
以下、図面を参照して、本発明に係る部品表示装置、部品表示方法及び部品表示プログラムについて説明する。ただし、本発明の技術的範囲はそれらの実施の形態には限定されず、特許請求の範囲に記載された発明とその均等物に及ぶ点に留意されたい。
【００１４】
図１に、本開示の実施形態に係る部品表示装置の構成図を示す。部品表示装置１０は、記憶部１と、部品抽出部２と、部品表示制御部３とを有する。部品表示装置１０は情報処理装置（コンピュータ）によって実現され、部品表示装置１０に含まれる部品抽出部２及び部品表示制御部３は、記憶部１に格納されるプログラムを実行することによって実現され得る。部品表示装置１０には、入力装置２０及び表示装置３０が接続されている。
【００１５】
入力装置２０として、例えば、キーボードやマウス等を用いることができる。あるいは、入力装置２０として、表示装置３０と重ねて配置したタッチパネルを用いることもできる。入力装置２０により、複数の部品のうち特定の部品を選択するための情報等が部品表示装置１０に入力される。
【００１６】
表示装置３０として、液晶表示装置や有機ＥＬ表示装置等を用いることができる。表示装置３０は、入力装置２０による情報の入力画面や、複数の部品を組み付けた状態の構成図や、複数の部品の中から選択された特定の部品の構成図等を表示することができる。
【００１７】
記憶部１は、複数の部品を組み付けた物品を構成する部品の組み付け情報を記憶する。図２に部品の組付情報の例を示す。部品の組付情報には、当該部品の識別番号、当該部品に組み付けられる部品の識別番号及び個数に関する情報が含まれる。例えば、識別番号「１０１」の部品の組み付け情報には、部品１０１に組み付けられる部品の識別番号「１０２」及び「１０３」、並びにそれぞれの個数「１」が含まれる。さらに、後述するように、部品情報に、部品を組み付ける順序に関する情報が含まれるようにしてもよい。
【００１８】
記憶部１は、例えば、半導体メモリ、磁気ディスク装置及び光ディスク装置等により構成することができる。記憶部１は、部品表示装置１０による処理に用いられるプログラム（部品表示プログラム）及びデータ等を記憶する。プログラムは、例えばＣＤ−ＲＯＭ等のコンピュータ読み取り可能記録媒体から、公知のセットアッププログラム等を用いて記憶部１にインストールされるようにしてもよい。
【００１９】
部品抽出部２は、複数の部品を組み付けた状態の表示において複数の部品のうち特定の部品が選択されると、部品の組み付け情報を記憶部１から参照し、特定の部品に組み付けられる他の部品情報を抽出する。図３に、複数の部品を組み付けた状態の表示装置３０への表示例を示す。表示装置３０の画面２００上には、複数の部品を組み付けた状態の物品１００が表示されている。物品１００は、部品１０１〜１１１から構成されている。
【００２０】
例えば、部品１０１に部品１０２及び１０３が組み付けられているとする。また、部品１０１〜１０３の識別番号が、それぞれ「１０１」、「１０２」及び「１０３」であるとする。また、画面２００上で任意の部品がカーソル３００により選択可能であるとする。複数の部品１０１〜１１１のうち特定の部品１０１がカーソル３００により選択されると、部品１０１の組み付け情報を記憶部１から参照し、特定の部品１０１に組み付けられる他の部品１０２及び１０３の部品情報を抽出する。この部品情報には、部品の識別番号及び個数が含まれる。また、部品情報には、上述の部品の識別番号及び個数に加えて、部品の名称、種類及びサイズや、さらに部品の在庫状況（個数）などが含まれてもよい。
【００２１】
部品表示制御部３は、抽出された部品情報及び部品の個数を画面上に表示する。図３に示した例では、部品１０１がカーソル３００により選択されると、画面２００上において部品１０１にポップアップ４００が表示される。ポップアップ４００には、抽出された部品１０２及び１０３のそれぞれの識別番号、並びに部品１０２及び１０３のそれぞれの個数が表示される。具体的には、ポップアップ４００は複数の領域４０１〜４０５に分けられる。領域４０１にカーソル３００で選択された部品１０１の識別番号「１０１」が表示される。領域４０２及び４０３には、抽出された部品１０２及び１０３のそれぞれの識別番号「１０２」及び「１０３」が表示される。領域４０４及び４０５には、抽出された部品１０２及び１０３のそれぞれの個数「１」が表示される。ユーザはポップアップ４００の表示から、選択した部品１０１の識別番号、選択した部品１０１に組み付けられる部品１０２及び１０３のそれぞれの識別番号及び個数を認識することができるため、部品１０１に組み付ける部品としてどの部品を何個用意すればよいかを容易に認識することができる。
【００２２】
部品表示装置１０は、選択された部品及び抽出された部品を画面上で他の部品とは異なる表示方法で表示するようにしてもよい。例えば、図３において、部品１０１をカーソル３００で選択した場合、部品１０１並びにこれに組み付けられる部品１０２及び１０３のみを他の部品１０４〜１１１とは異なる色や明るさで表示するようにしてもよい。これにより、カーソルで選択した部品にどの部品が組み付けられるかをユーザが容易に認識することができる。
【００２３】
あるいは、選択した部品及びこの部品に組み付けられる部品のみを表示して他の部品を表示しないようにしてもよく、あるいは他の部品の透明度を上げる、コントラストを低下させる（薄くする）等の処理により他の部品の視認性を下げる等、してもよい。図４に複数の部品のうち特定の部品を選択した状態の表示装置への表示例を示す。図４に示すように、部品１０１〜１０３のみを表示し、他の部品１０４〜１１１を表示しないようにすることにより、部品１０１に対して部品１０２及び１０３がどのように組み付けられるかをユーザが容易に認識することができる。さらに、各部品に表示形態（方向等）の情報を持たせて記憶部１に記憶させ、部品選択により選択した部品及びこの部品に組み付けられる部品が適切な表示形態、具体的には、ユーザにとって部品を組み付ける順序が認識しやすい表示形態（方向）で表示させることができる。
【００２４】
組み付け情報には、複数の部品を組み付ける順序に関する情報が含まれるようにしてもよい。図５〜図８に、物品１００が組み付けられる第１〜第４工程の概略図を示す。図５に示すように、第１工程として、部品１０５が用意され、次の第２工程では図６に示すように部品１０５の上に部品１０６が載置されるとする。この場合、図２に示すように、組み付ける順序に関する情報として、部品１０５の組み付け情報には、第１工程で部品１０５が用意されることを表す数値「１」、及び第２工程で部品１０６が部品１０５に組み付けられることを表す情報「２」が含まれるようにしてもよい。
【００２５】
同様にして、図２に示すように、部品１０１の組み付け情報には、組み付ける順序に関する情報として、図７に示される第３工程で部品１０２及び１０３が部品１０１に組み付けられることを表す情報「３」が含まれるようにしてもよい。
【００２６】
さらに、図２に示すように、部品１０５の組み付け情報には、組み付ける順序に関する情報として、図８に示される第４工程で部品１０１〜１０３が部品１０５に組み付けられることを表す情報「４」が含まれるようにしてもよい。
【００２７】
また、組み付ける順序に従って、順番に組み付ける部品を他の部品とは異なる表示方法で表示するようにしてもよい。例えば、第１工程では部品１０５が用意されるため部品１０５を第１の色（例えば、黒）で表示し、第２工程では部品１０５に部品１０６が組み付けられるため部品１０６を第２の色（例えば、赤）で表示し、第３工程では部品１０１に部品１０２及び１０３が組み付けられるため、部品１０１〜１０３を第３の色（例えば、青）で表示するようにしてもよい。
【００２８】
また、選択した部品が関係する組付け工程（選択した部品に他部品を組み付ける、あるいは選択した部品を他部品に組み付ける工程）を順次動画で表示するようにしても良い。
【００２９】
このように、組み付け情報には、複数の部品を組み付ける順序に関する情報が含まれ、組み付ける順序に従って、順番に組み付ける部品を他の部品とは異なる表示方法で表示することにより、どの部品がどのような順序で組み付けられるかをユーザは１つの画面から容易に認識することができる。
【００３０】
ここで、組み付け情報は、複数の部品により物品を設計する段階で生成されることが好ましい。例えば、図４に示すように、部品１０１に部品１０２及び１０３を組み付けるように設計した段階で、図２に示すように、部品１０１の組み付け情報には、部品１０１に組み付けられる部品１０２及び１０３のそれぞれの識別番号「１０２」及び「１０３」、並びにそれぞれの個数「１」が含まれるように組み付け情報が生成されることが好ましい。このようにすることで、組み付け情報を別途生成する工数を省略することができ、組み付け情報を容易に生成することができる。
【００３１】
次に、本開示の実施形態に係る部品表示方法について説明する。まず、ステップＳ１０１において、複数の部品１０１〜１１１を組み付けた状態の物品１００を表示装置３０の画面２００上に表示する（図３参照）。このステップＳ１０１の処理は、部品表示装置の電源投入後、例えば所望するアセンブリモデルを選択し表示モードに移行することにより実行される。
【００３２】
次に、ステップＳ１０２において、画面２００上において複数の部品１０１〜１１１のうちの特定の部品が選択されたか否かを判断する。部品の選択は、入力装置２０を用いてユーザがカーソル３００を操作することにより実行される。
【００３３】
カーソル３００により特定の部品が選択されなかった場合（ｎｏ）は、ステップＳ１０２に戻って、再度特定の部品が選択されたか否かを判断する。この繰り返し処理は、部品表示装置の電源がオフとなる、あるいは表示モードが解除されることによって、終了される。
【００３４】
カーソル３００により特定の部品が選択された場合（ｙｅｓ）は、記憶部１を参照し、組み付け情報に基づいて、特定の部品に組み付けられる部品を抽出する。例えば、図３に示すように、特定の部品として部品１０１を選択した場合、部品抽出部２は記憶部１を参照し、組み付け情報（図２）に基づいて、特定の部品１０１に組み付けられる部品を抽出する。部品１０１〜１０３の識別番号がそれぞれ「１０１」、「１０２」、「１０３」であって、特定の部品として部品１０１を選択した場合、部品抽出部２は、図２に示した組み付け情報に基づいて、特定の部品１０１に組み付けられる部品１０２及び１０３を抽出する。部品抽出部２は、同時に、組み付けられる部品１０２及び１０３の個数に関する情報も抽出する。
【００３５】
次にステップＳ１０４において、部品表示制御部３が、抽出された部品１０２及び１０３の識別番号及び個数を画面２００上の組み付けた状態の物品１００上に表示する。例えば、部品表示制御部３は、図３に示すように、画面２００上にポップアップ４００を表示し、特定された部品１０１の識別番号「１０１」、抽出された部品１０２及び１０３の識別番号「１０２」及び「１０３」、並びに抽出された部品１０２及び１０３のそれぞれの個数「１」をポップアップ４００に表示することができる。
【００３６】
次に、ステップＳ１０５において、特定の部品と抽出された部品のみの表示が選択されたか否かを判断する。例えば、図３において、特定の部品として部品１０１を選択した場合、部品１０１並びに部品１０１に組み付けられる部品１０２及び１０３のみの表示がユーザにより選択されたか否かを判断する。特定の部品と抽出された部品のみの表示が選択されなかった場合（ｎｏ）は、一連の動作を終了する。
【００３７】
特定の部品と抽出された部品のみの表示が選択された場合（ｙｅｓ）は、ステップＳ１０６において、特定の部品と抽出された部品の識別番号及び個数を画面２００上に表示する。例えば、図３に示すように、画面２００上で部品１０１並びに部品１０１に組み付けられる部品１０２及び１０３のみの表示がユーザにより選択された場合、図４に示すように、部品１０１に組み付けられる部品１０２及び１０３のみが画面２００上に表示され、かつ、特定の部品１０１並びに抽出された部品１０２及び１０３の識別番号「１０１」、「１０２」、「１０３」並びに部品１０２及び１０３の個数「１」を画面２００上にポップアップ４００を用いて表示する。
【００３８】
このように、特定の部品と抽出された部品の識別番号及び個数を画面上に表示することにより、ユーザは特定した部品に対してどの部品を何個組み付ければよいかを認識することができるため、物品の組立を容易に行うことができる。
【００３９】
以上説明したように、本開示の実施形態に係る部品表示装置、部品表示方法及び部品表示プログラムによれば、１つの部品選択により、選択した部品とともに該部品に組み付いている部品を容易に確認することができる。
【符号の説明】
【００４０】
１    記憶部
２    部品抽出部
３    部品表示制御部
１０    部品表示装置
２０    入力装置
３０    表示装置
【図１】
2020201892.tif 000003
【図２】
2020201892.tif 000004
【図３】
2020201892.tif 000005
【図４】
2020201892.tif 000006
【図５】
2020201892.tif 000007
【図６】
2020201892.tif 000008
【図７】
2020201892.tif 000009
【図８】
2020201892.tif 000010
【図９】
2020201892.tif 000011